(57)【要約】【課題】アドレス確定済み室内機と未確定室内機が混在していても、アドレス設定作業をすることなく確実に重複なしにアドレスを設定する。【解決手段】室外送信手段１４と、室内受信手段１５Ａ〜１５Ｃと、室内送信手段１６Ａ〜１６Ｃと、通信監視手段１７Ａ〜１７Ｃと、アドレス確定手段１８Ａ〜１８Ｃとを備え、アドレス確定済み室内機の室内送信手段が送信するアドレス設定要求信号の優先順位は、確定済みアドレスの値によって決定し、アドレス未確定室内機よりも高い優先順位となるようにしたことにより、室外機がアドレス設定開始信号を送信すると、通信線に接続された複数台の室内機がアドレス設定要求信号の送信を開始し、まずアドレス確定済み室内機がアドレス確定信号を受信してアドレスを再度確定し、その後アドレス未確定室内機が順次アドレス確定信号を受信してアドレスを確定することとなる。【選択図】図１
2008057824.tif 000002
【特許請求の範囲】
【請求項１】
１台の室外機と複数台の室内機が１対の通信線で接続された空気調和機において、室外機に設けられ室内機にアドレス設定開始信号を送信すると共にアドレス設定要求信号を送信した室内機にアドレス確定信号を送信する室外送信手段と、室内機に設けられアドレス設定開始信号の受信により信号を出力する室内受信手段と、室内機に設けられ前期室内受信手段からの信号により任意のデータを含むアドレス設定要求信号の送信を開始する室内送信手段と、室内機に設けられ前期室内送信手段から送信したアドレス設定要求信号の優先順位が他の室内機の前期室内送信手段から送信されたアドレス設定要求信号の優先順位よりも低い場合に競合負け信号を出力する通信監視手段と、室内機に設けられ前期通信監視手段が競合負け信号を出力していない場合にアドレス確定信号を受信しアドレスを確定するアドレス確定手段とを備え、アドレス確定済み室内機の前期室内送信手段が送信するアドレス設定要求信号の優先順位は、確定済みアドレスの値によって決定し、アドレス未確定室内機よりも高い優先順位であることを特徴とする空気調和機のアドレス設定装置。
【発明の詳細な説明】
【技術分野】
【０００１】
本発明は、１台の室外機と複数台の室内機が１対の通信線で接続された空気調和機のアドレス設定装置に関するものである。
【背景技術】
【０００２】
従来、この種の空気調和機のアドレス設定装置としては、空気調和機の設置時に工事者が基板上のディップスイッチによりアドレスを設定するものがあった（例えば、特許文献１参照）。図３は特許文献１に記載された従来の空気調和機のアドレス設定装置の構成を示すものである。図３において、複数台の室内機３１Ａ〜３１Ｃは室外機３２と１対の通信線３３で接続され、アドレスはディップスイッチ３４Ａ〜３４Ｃで設定される。
【特許文献１】特開平２−８５６４３号公報
【発明の開示】
【発明が解決しようとする課題】
【０００３】
しかしながら、前記従来の構成では、空気調和機設置時にアドレス設定作業が必要であり、アドレス設定を誤った場合は正常に動作しないという課題を有していた。また、室内機増設時には既設の室内機と重複させずにアドレス設定をする必要があった。
【０００４】
本発明は、上記従来の課題を解決するもので、アドレス確定済み室内機と未確定室内機が混在していても、室外機と複数台の室内機を１対の通信線で接続するだけで、アドレス設定作業をすることなく確実に重複なしにアドレスを設定することができる空気調和機のアドレス設定装置の提供を目的とする。
【課題を解決するための手段】
【０００５】
前記従来の課題を解決するために、本発明の空気調和機のアドレス設定装置は、室外機に設けられ室内機にアドレス設定開始信号を送信すると共にアドレス設定要求信号を送信した室内機にアドレス確定信号を送信する室外送信手段と、室内機に設けられアドレス設定開始信号の受信により信号を出力する室内受信手段と、室内機に設けられ室内受信手段からの信号により任意のデータを含むアドレス設定要求信号の送信を開始する室内送信手段と、室内機に設けられ室内送信手段から送信したアドレス設定要求信号の優先順位が他の室内機の室内送信手段から送信されたアドレス設定要求信号の優先順位よりも低い場合に競合負け信号を出力する通信監視手段と、室内機に設けられ通信監視手段が競合負け信号を出力していない場合にアドレス確定信号を受信しアドレスを確定するアドレス確定手段とを設け、アドレス確定済み室内機の室内送信手段が送信するアドレス設定要求信号の優先順位は、確定済みアドレスの値によって決定し、アドレス未確定室内機よりも高い優先順位となるようにしたものである。
【０００６】
これによって、室外機がアドレス設定開始信号を送信すると、通信線に接続された複数台の室内機がアドレス設定要求信号の送信を開始し、まずアドレス確定済み室内機がアドレス確定信号を受信してアドレスを再度確定し、その後アドレス未確定室内機が順次アドレス確定信号を受信してアドレスを確定することとなる。
【発明の効果】
【０００７】
本発明の空気調和機のアドレス設定装置は、アドレス確定済み室内機と未確定室内機が混在していても、室外機と複数台の室内機を１対の通信線で接続するだけで、アドレス設定作業をすることなく確実に重複なしにアドレスを設定することができる。
【発明を実施するための最良の形態】
【０００８】
第１の発明は、１台の室外機と複数台の室内機が１対の通信線で接続された空気調和機において、室外機に設けられ室内機にアドレス設定開始信号を送信すると共にアドレス設定要求信号を送信した室内機にアドレス確定信号を送信する室外送信手段と、室内機に設けられアドレス設定開始信号の受信により信号を出力する室内受信手段と、室内機に設けられ室内受信手段からの信号により任意のデータを含むアドレス設定要求信号の送信を開始する室内送信手段と、室内機に設けられ室内送信手段から送信したアドレス設定要求信号の優先順位が他の室内機の室内送信手段から送信されたアドレス設定要求信号の優先順位よりも低い場合に競合負け信号を出力する通信監視手段と、室内機に設けられ通信監視手段が競合負け信号を出力していない場合にアドレス確定信号を受信しアドレスを確定するアドレス確定手段とを備え、アドレス確定済み室内機の室内送信手段が送信するアドレス設定要求信号の優先順位は、確定済みアドレスの値によって決定し、アドレス未確定室内機よりも高い優先順位となるようにする。
【０００９】
これにより、室外機がアドレス設定開始信号を送信すると、通信線に接続された複数台の室内機がアドレス設定要求信号の送信を開始し、まずアドレス確定済み室内機がアドレス確定信号を受信してアドレスを再度確定し、その後アドレス未確定室内機が順次アドレス確定信号を受信してアドレスを確定することとなり、アドレス確定済み室内機と未確定室内機が混在していても、室外機と複数台の室内機を１対の通信線で接続するだけで、アドレス設定作業をすることなく確実に重複なしにアドレスを設定することができる。
【００１０】
以下、本発明の実施の形態について、図面を参照しながら説明する。なお、本実施の形態によって本発明が限定されるものではない。
【００１１】
（実施の形態１）
図１は、本発明の実施の形態１における空気調和機のアドレス設定装置の構成を示すブロック図である。
【００１２】
図１において、１１Ａ〜１１Ｃは室内機、１２は室外機、１３は複数台の室内機１１Ａ〜１１Ｃと室外機１２を接続する１対の通信線、１４は室内機１１Ａ〜１１Ｃにアドレス設定開始信号を送信すると共にアドレス設定要求信号を送信した室内機にアドレス確定信号を送信する室外送信手段、１５Ａ〜１５Ｃはアドレス設定開始信号の受信により信号を出力する室内受信手段、１６Ａ〜１６Ｃは室内受信手段１５Ａ〜１５Ｃからの信号により任意のデータを含むアドレス設定要求信号の送信を開始する室内送信手段であり、アドレス確定済みの場合に送信するアドレス設定要求信号の優先順位は、確定済みアドレスの値によって決定し、アドレス未確定の場合に送信するアドレス送信要求信号の優先順位よりも高く設定される。また、１７Ａ〜１７Ｃは室内送信手段１６Ａ〜１６Ｃから送信したアドレス設定要求信号の優先順位が他の室内機の室内送信手段から送信されたアドレス設定要求信号の優先順位よりも低い場合に競合負け信号を出力する通信監視手段、１８Ａ〜１８Ｃは通信監視手段１７Ａ〜１７Ｃが競合負け信号を出力していない場合にアドレス確定信号を受信しアドレスを確定するアドレス確定手段である。
【００１３】
以上のように構成された空気調和機のアドレス設定装置について、以下その動作、作用を図２のフローチャートを参照しながら説明する。
【００１４】
まず、室内機１１Ａ〜１１ＣはステップＩ１でアドレス設定開始信号の受信を待つ。そして、室外機１２がステップＯ１でアドレス設定開始信号を送信すると、室内機１１Ａ〜１１ＣはステップＩ１からステップＩ２に進んでアドレス設定要求信号の送信を開始し、ステップＩ３で自己の送信したアドレス設定要求信号と他の室内機が送信したアドレス設定要求信号の優先順位を比較する。このとき、例えば、室内機１１Ａのアドレスが確定済
みで、１１Ｂ，１１Ｃのアドレスが未確定であったとすれば、１１Ａの送信するアドレス設定要求信号の優先順位が最も高いため、室内機１１ＡのみがステップＩ４からステップＩ５に進んでアドレス設定要求信号の送信を完了し、ステップＩ６でアドレス確定信号の受信を待つ。また、室内機１１Ｂ，１１ＣはステップＩ４からステップＩ８に進んで競合負け信号を出力してステップＩ９でアドレス設定要求信号の送信を中断し、ステップＩ２に戻る。一方、室外機１２はＯ２でアドレス設定要求信号を待機中に、室内機１１Ａが送信したアドレス設定要求信号を受信することになるので、ステップＯ３に進んでアドレス確定信号を送信する。これにより、室内機１１ＡはステップＩ６からＩ７に進みアドレスが確定する。また、室外機１２はステップＯ４で接続可能台数分のアドレス確定信号の送信が終了していなければ、ステップＯ２に戻る。
【００１５】
次に、ステップＩ２に戻った室内機１１Ｂ，１１Ｃは、再度、アドレス設定要求信号の送信を開始し、それぞれのアドレス設定要求信号の優先順位により、一連の動作を行う。これに対し、Ｏ２に戻った室外機１２は、アドレス設定要求信号を受信する度にＯ３でアドレス確定信号を送信し、Ｏ４で接続可能台数分のアドレス確定信号の送信が完了するかＯ５で所定の時間が経過するまでの間、一連の動作を繰返す。
【００１６】
以上のように、本実施の形態においては、室内機１１Ａ〜１１Ｃにアドレス設定開始信号を送信すると共にアドレス設定要求信号を送信した室内機にアドレス確定信号を送信する室外送信手段１４と、アドレス設定開始信号の受信により信号を出力する室内受信手段１５Ａ〜１５Ｃと、室内受信手段１５Ａ〜１５Ｃからの信号により任意のデータを含むアドレス設定要求信号の送信を開始する室内送信手段１６Ａ〜１６Ｃと、室内送信手段１６Ａ〜１６Ｃから送信したアドレス設定要求信号の優先順位が他の室内機の室内送信手段から送信されたアドレス設定要求信号の優先順位よりも低い場合に競合負け信号を出力する通信監視手段１７Ａ〜１７Ｃと、通信監視手段１７Ａ〜１７Ｃが競合負け信号を出力していない場合にアドレス確定信号を受信しアドレスを確定するアドレス確定手段１８Ａ〜１８Ｃとを備え、アドレス確定済み室内機の室内送信手段が送信するアドレス設定要求信号の優先順位は、確定済みアドレスの値によって決定し、アドレス未確定室内機よりも高い優先順位となるようにする。
【００１７】
これにより、室外機がアドレス設定開始信号を送信すると、通信線に接続された複数台の室内機がアドレス設定要求信号の送信を開始し、まずアドレス確定済み室内機がアドレス確定信号を受信してアドレスを再度確定し、その後アドレス未確定室内機が順次アドレス確定信号を受信してアドレスを確定することとなり、アドレス確定済み室内機と未確定室内機が混在していても、室外機と複数台の室内機を１対の通信線で接続するだけで、アドレス設定作業をすることなく確実に重複なしにアドレスを設定することができる。
【産業上の利用可能性】
【００１８】
以上のように、本発明にかかる空気調和機のアドレス設定装置は、アドレス確定済み室内機と未確定室内機が混在していても、室外機と複数台の室内機を１対の通信線で接続するだけで、アドレス設定作業をすることなく確実に重複なしにアドレスを設定することが可能となるので、複数台の室内機を１台のワイヤードリモコンに接続して制御する１リモコングループ制御における通信アドレスの自動設定等の用途にも適用できる。
【図面の簡単な説明】
【００１９】
【図１】本発明の実施の形態１における空気調和機のアドレス設定装置の構成を示すブロック図
【図２】本発明の実施の形態１における空気調和機のアドレス設定装置の動作、作用を示すフローチャート
【図３】従来の空気調和機のアドレス設定装置の構成を示すブロック図
【符号の説明】
【００２０】
１１Ａ〜１１Ｃ  室内機
１２  室外機
１３  通信線
１４  室外送信手段
１５Ａ〜１５Ｃ  室内受信手段
１６Ａ〜１６Ｃ  室内送信手段
１７Ａ〜１７Ｃ  通信監視手段
１８Ａ〜１８Ｃ  アドレス確定手段
【図１】
2008057824.tif 000003
【図２】
2008057824.tif 000004
【図３】
2008057824.tif 000005